(57)【要約】【課題】音の出力と、音出力の調整とを行うことができる。【解決手段】音出力装置１は、作業者が自身の動きにシンクロさせて音を出力させるものであり、音の出力を指示するための出力信号を入力する入力部２と、音の調整を行う機能部９と、入力部２で入力した出力信号に基づいて出力命令信号を外部音響機器４に出力する本体部３とが、設けられ、機能部９は、音の出力の切替を行う切替部９１と、音の出力の調整を行う調整部９２とを有する。【選択図】図１
2018160223.tif 000002
【特許請求の範囲】
【請求項１】
作業者が自身の動きにシンクロさせて音を出力させる音出力装置であって、
音の出力を指示するための出力信号を入力する入力部と、
音の調整を行う機能部と、
前記入力部で入力した出力信号に基づいて出力命令信号を外部音響機器に出力する本体部と、が設けられ、
前記機能部は、音の出力の切替を行う切替部と、音の出力の調整を行う調整部とを有することを特徴とする音出力装置。
【請求項２】
請求項１に記載の音出力装置であって、
前記入力部と前記本体部とが無線接続されたことを特徴とする音出力装置。
【請求項３】
請求項１または請求項２に記載の音出力装置において、
前記入力部には、一主面と他主面とで両主面を構成する基板が設けられ、
前記一主面に、可動式部品が設けられ、前記他主面に、電子部品が設けられたことを特徴とする音出力装置。
【請求項４】
請求項１乃至請求項３のうちいずれか１つに記載の音出力装置において、
前記入力部には、一主面と他主面とで両主面を構成する基板が設けられ、
音の出力を入力するスイッチが基板の一主面に設けられ、
前記入力部で入力した出力信号を前記本体部に送信するための送信モジュールが基板の他主面に設けられ、
前記送信モジュールは、ベースで覆うように封止されたことを特徴とする音出力装置。
【発明の詳細な説明】
【技術分野】
【０００１】  本発明は、音出力装置に関する。
【背景技術】
【０００２】  従来、演劇や舞台やコンサートなどの公演で用いられている音響設備は、音響担当のスタッフが管理している。公演中、演者と音響担当のスタッフとが声を出して合図して図ることができないため、演者は、事前に音響担当のスタッフと打合せを行い、綿密な音合わせを行なう必要がある。【０００３】  また、公演はライブで行なわれるため、事前に打合せを行ったスケジュール通りに演劇が行なわれない場合が多々ある。そのため、その場の演劇をアドリブで行なう必要があり、即興のアドリブによって公演が進行する。音響担当のスタッフは、この演者のアドリブに合わせて音（例えば、効果音など）を出力しなければならず、このことは音響担当のスタッフにとってかなりの負担となっている。また、演者においても、音の出力に合わせてアドリブのパフォーマンスを行なわなければならず、このことは演者にとってかなりの負担となっている。【０００４】  そこで、上記課題を解決するために開発した遠隔操作装置がある（特許文献１参照）。特許文献１に記載の技術によれば、演者及びスタッフの負担を軽減させることができた。
【先行技術文献】
【特許文献】
【０００５】
【特許文献１】特開２００７−６８１３４号公報
【発明の概要】
【発明が解決しようとする課題】
【０００６】  ところで、上記の特許文献１の技術では、当該装置を携帯する作業人（例えば、演者）は、音を出力することだけで、音出力の調整を行うことはできなかった。【０００７】  そこで、上記課題を解決するために、本発明は、音の出力と、音出力の調整とを行うことができる音出力装置を提供することを目的とする。
【課題を解決するための手段】
【０００８】  上記の目的を達成するため、本発明にかかる音出力装置は、作業者が自身の動きにシンクロさせて音を出力させる音出力装置であって、音の出力を指示するための出力信号を入力する入力部と、音の調整を行う機能部と、前記入力部で入力した出力信号に基づいて出力命令信号を外部音響機器に出力する本体部と、が設けられ、前記機能部は、音の出力の切替を行う切替部と、音の出力の調整を行う調整部とを有することを特徴とする。【０００９】  本発明によれば、音の出力と、音出力の調整とを行うことができる。【００１０】  前記構成において、前記入力部と前記本体部とが無線接続されてもよい。【００１１】  本発明によれば、前記入力部と前記本体部とが無線接続されているので、入力部と本体部とを繋ぐ有線が存在しない。【００１２】  前記構成において、前記入力部には、一主面と他主面とで両主面を構成する基板が設けられ、前記一主面に、可動式の入力部が設けられ、前記他主面に、電子部品が設けられてもよい。【００１３】  この場合、前記一主面に前記可動式部品が設けられ、前記他主面に前記電子部品が設けられているので、前記可動式部品を可動させることの影響が、前記電子部品に及ぶのを抑制することができる。【００１４】  前記構成において、前記入力部には、一主面と他主面とで両主面を構成する基板が設けられ、音の出力を入力するスイッチが基板の一主面に設けられ、前記入力部で入力した出力信号を前記本体部に送信するための送信モジュールが基板の他主面に設けられ、前記送信モジュールは、ベースで覆うように封止されてもよい。【００１５】  この場合、前記スイッチ前記が前記基板の一主面に設けられ、前記送信モジュールが前記基板の他主面に設けられ、前記送信モジュールは、前記ベースで覆うように封止されるので、前記スイッチの入力動作によって、前記送信モジュールが他の部材（他の電子部品やコード等）に直接接触するような接触干渉の影響が及ぶことはない。
【発明の効果】
【００１６】  本発明にかかる音出力装置によれば、音の出力と、音出力の調整とを行うことができる。
【図面の簡単な説明】
【００１７】
【図１】本実施の形態にかかる音出力装置の概略ブロック図である。
【図２】本実施の形態にかかる音出力装置の機能部の概略ブロック図である。
【図３】本実施の形態にかかる入力部の概略斜視図である。
【図４】本実施の形態にかかる入力部の内部を公開した概略断面図である。
【図５】本実施の形態にかかる天板の概略平面図である。
【図６】本実施の形態にかかるスポンジの概略平面図である。
【図７】本実施の形態にかかる基板の概略平面図である。
【図８】本実施の形態にかかるベースの概略平面図である。
【図９】本実施の他の形態にかかる入力部の内部を公開した概略断面図である。
【図１０】本実施の他の形態にかかる音出力装置の概略ブロック図である。
【発明を実施するための形態】
【００１８】  以下、本発明の実施例について図面を参照して説明する。
【００１９】  本実施例にかかる音出力装置１は、作業者が自身の動きにシンクロさせて音を表現（出力）するためのものである。具体的には、音出力装置１は、作業者が自身の身体の動きに合わせて任意に予め設定した音を出力するものであり、図１に示すように、音の出力を指示するための出力信号を入力し、本体部３に出力信号を送信する入力部２と、入力部２から送信した出力信号を受信し、受信した出力信号に基づいた出力命令信号を外部音響機器４（スピーカとサンプラとの機能の備えた電子機器で、例えばスマートフォンなど）に出力する本体部３と、音の調整を行う機能部９と、で構成される。これら入力部２と本体部３とは、無線接続されている（１．５〜２．５ＧＨｚ帯（例えば２ＧＨｚ）の周波数）。また、本体部３と外部音響機器４とは有線接続されている。また、本体部３と機能部９とは有線接続されている。なお、本実施の形態では、入力部２と本体部３とは無線接続されているが、これは好適な形態であり、有線接続されていてもよい。
【００２０】  本体部３は、携帯可能な形態（例えば、腰に巻くもの、リストバンド、帽子、ポケットに収納できる筐体等）であり、本体部３には、出力信号を受信するための本体受信部３１と、入力部２から入力した出力信号がいずれの入力部２（２１，２２，２３，２４，２５，２６，２７，２８、下記参照）から入力された出力信号なのかを判断する制御部３５と、制御部３５で判断した入力部２による出力信号に基づいて出力命令信号を外部音響機器４に送信するための本体送信部３２（送信ポート）と、本体部３の電源をＯＮ／ＯＦＦする電源スイッチ部３３と、本体部３に電源を供給する電源部３４と、音の調整を行う機能部９から音調整信号を受信する本体受信部３６（受信ポート）と、が設けられている。
【００２１】  入力部２は、出力信号を入力するためのものであり、８つの入力部（符号２１，２２，２３，２４，２５，２６，２７，２８参照）で構成されている。８つの入力部２（２１，２２，２３，２４，２５，２６，２７，２８）は、それぞれ独立して設けられている。
【００２２】  以下、入力部２について、図面（図３〜図８）を用いて詳説する。
【００２３】  入力部２には、天板８１を押すことで天板８１が変位し、変位した天面８１に接触し天板８１の変位に連動して出力信号を入力するスイッチ８４が設けられている。入力部２の筐体は、図３，図４に示すように、スイッチ８４の表面を覆う天板８１と、スイッチ８４の側方に配され、天板８１を変位可能に支持し、さらにスイッチ８４の側方を覆うクッション材８２と、スイッチ８４及び送信モジュール８５を搭載した基板８３と、送信モジュール８５を格納したベース８７とで構成されている。
【００２４】  天板８１は、図３〜図５に示すように、発泡塩ビの板状体からなり、４つの角が平面視円弧に成形されている。なお、天板８１の寸法は、５０×５０×４ｍｍとなっている。
【００２５】  クッション材８２は、図３，図４，図６に示すように、天板８１の平面視寸法と同等の平面視５０×５０ｍｍの直方体のスポンジからなる。平面視中央に、挿通孔８２２が形成され、図３，図４に示すように製造された入力部２では、この挿通孔８２２にスイッチ８４が配される（図４参照）。このクッション材８２の対向する一対の側面に複数の切り欠き部８２１が対向して形成され、各側面では、２つの切り欠き部８２１がそれぞれ並んで形成されている。このように、クッション材８２の対向する一対の側面に複数の切り欠き部８２１が対向し、さらに各側面において２つの切り欠き部８２１がそれぞれ並んで形成されることで、挿通孔８２２を中心にしてクッション材８２の形状は対称性を有する。その結果、天板８１を押した際にクッション材８２にかかる押圧力を安定させることができる。なお、クッション材８２の寸法は、５０×５０×１０ｍｍとなっている。
【００２６】  スイッチ８４は、図４，図７に示すように、物理的スイッチであり、天板８１を押すことでスイッチ８４も連動して押される構成となっている。
【００２７】  基板８３は、図３，図４，図７に示すように、一主面と他主面とで両主面を構成する板状体からなり、４つの角が平面視円弧に成形されている。なお、基板８３の寸法は、平面視７０×７０ｍｍとなっている。図７に示すように、基板８３の一主面の中央にスイッチ８４（可動式部品）が搭載されている。また、図４に示すように、基板８３の他主面に、電池８６（本実施の形態では取り外し可能なボタン電池）と、入力部２で入力した出力信号を本体部３に送信するための送信モジュール８５（電子部品）とが並んで搭載されている。このように、基板８３の一主面にスイッチ８４を設け、他主面に電池８６と送信モジュール８５を設けることで、スイッチ８４を囲むクッション材８２の量を多くしてクッション材８２の強度を保つことができる。これに対して、スイッチ８４と電池８６と送信モジュール８５とを基板８３の一主面に搭載すると、クッション材８２の量が少なくなり、スイッチ８４の側方を覆う強度が弱くなる。その結果、天板８１を支える強度が弱くなり、不必要にスイッチ８４を押し、音の出力を指示するための出力信号を誤入力する可能性がある。また、スイッチ８４と電池８６と送信モジュール８５とを基板８３の一主面に搭載した形態では、スイッチ８４を押すために天板８１を押し下げると電池８６や送信モジュール８５に、天板８１が接触干渉する可能性がある。そこで、これらの不具合を解消するために、本実施の形態では、基板８３の一主面にスイッチ８４を設け、他主面に電池８６と送信モジュール８５を設けている。つまり、可動式部品であるスイッチ８４を基板８３の一主面に設け、その他の電子部品を基板８３の他主面に設けることで、出力信号の誤入力と、電子部品の損傷とを防ぐことができる。
【００２８】  また、スイッチ８４の四隅の外方に貫通孔８３１が形成され、貫通孔８３１を介して基板８３の一主面と他主面との間で回路の引き回しが可能となる。また、貫通孔８３１は、基板８３の一主面上にクッション材８２を配した際、クッション材８２の切り欠き部８２１内で露出している（図３参照）。なお、基板８３の寸法は、５０×５０×４．５ｍｍとなっている。また、このように、貫通孔８３１がクッション材８２の切り欠き部８２１内で露出していることで、衣服などの外部に入力部２を取付けるための外部取付部として利用することもできる。
【００２９】  ベース８７では、図３，図４，図８に示すように、底部８７１と堤部８７２とが設けられ、底部８７１の外周縁に沿って堤部８７２が立ち上げ成形されている。これら底部８７１と堤部８７２とによって、電池８６や送信モジュール８５などを封止するためのキャビティが音出力装置１に形成される。また、キャビティ内の底部８７１の四隅に、衣服などの外部に入力部２を取付けるための貫通孔８７３（外部取付部）が形成されている。キャビティ内の基板８３の他主面上には、電池８６と送信モジュール８５とが配され、このベース８７の堤部８７２の天面に基板８３の他主面が接合されることで、キャビティ内が封止された状態（貫通孔８７３を除く）となる。
【００３０】  上記の構成からなる音出力装置１では、８つの入力部２（２１，２２，２３，２４，２５，２６，２７，２８）から入力した各出力信号は、それぞれ独立して入力部２から本体部３に送信される。そして、入力部２から本体部３に送信された出力信号がいずれの入力部２（２１，２２，２３，２４，２５，２６，２７，２８、下記参照）から出力された出力信号なのかを制御部５３で判断し、制御部５３で判断した出力信号に基づいた出力命令信号が本体送信部３２から外部音響機器４に送信され、外部音響機器４から所望の音が出力される。
【００３１】  また、本体部３に音の調整を行う音調整信号を送信する機能部９は、携帯可能な形態であり、本実施の形態ではポケットなどに収納できる筐体を採用している。機能部９は、図２に示すように、音の切替を行う切替部９１と、音の出力の調整を行う調整部９２とを有する。
【００３２】  切替部９１は、第１選択ボタン９１２、第２選択ボタン９１３、第３選択ボタン９１４、及び第４選択ボタン９１５の４つのボタンと、各ボタンによる音の切替の種類を増やす切替シフト部９１１とで構成されている。音出力装置１では、予め８つの入力部２（２１，２２，２３，２４，２５，２６，２７，２８）それぞれに対応した出力を予め記憶しており、本実施の形態では、入力部２１，２２，２３，２４が音を出力するための入力部とされている。そして、第１選択ボタン９１２には、入力部２１，２２，２３，２４に対応した音を予め設定している。つまり、第１選択ボタン９１２には、入力部２１，２２，２３，２４夫々に対応した４つの音を設定している。同様に、第２選択ボタン９１３、第３選択ボタン９１４、及び第４選択ボタン９１５にも入力部２１，２２，２３，２４に対応した音を予め設定している。これらの設定する音は、作業者が任意に設定できる。
【００３３】  また、切替シフト部９１１は、スイッチであり、シフトＡとシフトＢとの２つのシフトを切替可能とし、第１選択ボタン９１２、第２選択ボタン９１３、第３選択ボタン９１４、及び第４選択ボタン９１５の４つのボタンに設定する音を、シフトＡとシフトＢとの２つのシフト毎に設定できる。そのため、シフトＡとシフトＢのそれぞれに、第１選択ボタン９１２、第２選択ボタン９１３、第３選択ボタン９１４、及び第４選択ボタン９１５毎の音が設定できる。本実施の形態では、第１選択ボタン９１２、第２選択ボタン９１３、第３選択ボタン９１４、及び第４選択ボタン９１５毎に各４種類の音を設定でき、さらにシフトＡ，Ｂによって各選択ボタンによる音の出力を２種類設定できる。その結果、本実施の形態では、４つの選択ボタン（符号９１２，９１３，９１４，９１５）×４種類の音（入力部２１，２２，２３，２４に対応）×２種類のシフト（シフトＡ、シフトＢ）となり、合計３２種類の音を設定できる。なお、本実施の形態では、切替シフト部では２つのシフトとしているが、これに限定されるものではなく、複数個のシフトとしてもよい。また、第１選択ボタン９１２、第２選択ボタン９１３、第３選択ボタン９１４、及び第４選択ボタン９１５の４つのボタンとしているが、これに限定されるものではなく、任意の数のボタンを設定してもよい。また、１つのボタンにつき４種類の音を設定しているが、これに限定されるものではなく、入力部の数に対応させた任意の種類の音を設定してもよい。
【００３４】  切替部９１では、演者が演奏中に、第１選択ボタン９１２、第２選択ボタン９１３、第３選択ボタン９１４、及び第４選択ボタン９１５の４つのボタンのうち任意のボタンを押したり、切替シフトでシフトＡとシフトＢとを切替することで、入力部２の数以上の音の数を出力することができる。
【００３５】  また、調整部９２は、第１調整ボタン９２１、第２調整ボタン９２２、第３調整ボタン９２３、及び第４調整ボタン９２４の４つのボタンで構成されている。
【００３６】  本実施の形態では、第１調整ボタン９２１は、音の出力レベルを下げる音量ダウンに対応したボタンであり、第２調整ボタン９２２は、音の出力レベルを上げる音量アップに対応したボタンであり、第３調整ボタン９２３は、音の出力を止めるミュートに対応したボタンであり、第４調整ボタン９２４は、音の出力を初期設定に戻す設定リセットに対応したエマージェンシーリセットボタンである。本実施の形態では、第１調整ボタン９２１、第２調整ボタン９２２、第３調整ボタン９２３、及び第４調整ボタン９２４は、それぞれ入力部２５，２６，２７，２８に対応したボタンとなっている。そのため、そのまま当該ボタンを押すことで入力も可能であるが、入力部２５，２６，２７，２８を押すことでも同様の対応できる。
【００３７】  上記したように、本実施例にかかる音出力装置１によれば、入力部２と機能部９と本体部３とが設けられ、機能部９は音の出力の切替を行う切替部９１と音の出力の調整を行う調整部９２とを有するので、音の出力と音出力の調整とを行うことができる。
【００３８】  また、本実施例にかかる音出力装置１によれば、出力信号を入力するための８つの入力部２１，２２，２３，２４，２５，２６，２７，２８がそれぞれ独立して設けられた入力部２と本体部３とが無線接続され、８つの入力部２１，２２，２３，２４，２５，２６，２７，２８から入力した各出力信号は、それぞれ独立して入力部２から本体部３に送信されるので、入力部２と本体部３とを繋ぐ有線が存在しない。このように有線が存在しないので、有線を身体中に引き回すことがなく、その結果、音出力装置１を携帯する作業人の動きを制限することなく、作業者が音出力装置１を携帯して自身の動きにシンクロさせて音を出力させることができる。特に、作業者が音出力装置１を携帯するといった用途に好適であり、本実施の形態によれば、作業者にスイッチ８４による入力動作を行っても、周りの人は、入力動作を行ったかどうか分からない。また、有線を用いないので、例えば、作業人（演者）が音出力装置１を隠すことを、従来技術（例えば、特許文献１参照）に比べて格段にしやすくなる。その結果、演者の演技の幅が広がり、また、衣装選びの自由度があがる。
【００３９】  また、基板８３の一主面に可動式部品であるスイッチ８４が設けられ、基板８３の他主面に送信モジュール８５などの電子部品が設けられているので、可動式部品（スイッチ８４）を可動させることの影響が、送信モジュール８５などの電子部品に及ぶのを抑制することができる。
【００４０】  また、スイッチ８４が基板８３の一主面に設けられ、送信モジュール８５が基板８３の他主面に設けられ、送信モジュール８５は、ベース８７で覆うように封止されるので、スイッチ８４の入力動作によって、送信モジュール８５が他の部材（例えば、天板８１、他の電子部品やコードなど）に直接接触するような接触干渉の影響が及ぶことはない。また、送信モジュール８５は、ベース８７で覆うように封止されるので、送信モジュール８５に他の部材（例えば天板８１、他の電子部品やコードなど）や外部（例えば、人の手や衣装、外部部材や外部電子機器等）が接触することを防ぐことができる。つまり、スイッチ８４のような可動式部品が設けられた音出力装置１であっても、送信モジュール８５などの他の電子部品を安定して基板８３に搭載することができる。
【００４１】  また、本体部３に送信された各出力信号それぞれに基づいた各出力命令信号が本体部３から外部音響機器４に出力されるので、作業人（例えば、演者や患者など）及びスタッフ（例えば、音響担当や医療担当）の負担を軽減することができる。
【００４２】  すなわち、本実施例にかかる音出力装置１を、娯楽や演劇の分野で用いた場合、入力部２を、音の出力を指示する演者に持たせることで、演者が入力部２から入力した出力信号が、入力部２から本体部３に送信され、出力信号に基づいた出力命令信号が本体部３から外部音響機器４に出力されて、演者が欲する音が出力される。そのため、作業人が演者の場合、上演中に演者の音響に関する思想をそのまま反映させて音を発することができる。また、演者の音を発する指示を音響担当のスタッフが確認する必要がない。また、演者と音響担当のスタッフとの事前の音合わせの打合せ内容を軽減することができ、音合わせにかかる費用を抑制することができる。また、本発明によれば、入力部２に出力信号を入力するための８つの入力部２１，２２，２３，２４，２５，２６，２７，２８がそれぞれ独立して設けられているので、入力部２１，２２，２３，２４，２５，２６，２７，２８を、入力部２と本体部３との電気的接続のために有線の引き回しを行う必要もなく、入力部２１を付けたい演者の身体の各部位に対応する位置に付す（例えば、ジャケットの裏側の袖部や胸部、または靴の中などに付す）ことができる、そのため、有線が体中に引き回されることによって身体の動きが制限されることはなく、入力部２を隠すことも容易になる。さらに、入力部２１を付けたい各部位に付した入力部２１，２２，２３，２４，２５，２６，２７，２８における各出力信号による各音出力の内容を変えることで、演者の自然なしぐさに伴って各入力部２１，２２，２３，２４，２５，２６，２７，２８のいずれかから出力信号を入力することができる。そのため、演技の邪魔をせずに演者による音の出力指示を行なうことが容易になる。また、これは、観客参加型の演劇中の際、観客はどのようにして音が発しているのか分からず、観客の興味をひかせるのに好適である。なお、ここでは、演劇や舞台やコンサートなどの音響機器に用いた場合について説明しているが、使用場所は限定されるものではなく、遊具として用いてもよく、また下記するようにリハビリテーション用装置として用いてもよい。
【００４３】  次に、本発明にかかる音出力装置１を、医療の分野（例えば、リハビリテーションなど）で用いた場合、入力部２を、音の出力指示を行なう患者に持たせることで、患者が入力部２１から入力した出力信号が、入力部２から本体部３に送信され、出力信号に基づいた出力命令信号が本体部３から外部音響機器４に出力されて、患者が入力した出力信号に基づく音が出力される。これは、患者の身体の各部位（例えば、手足など）が正常に動くか否かを検査する際に有効に利用可能である。
【００４４】  また、本実施の形態に示すように、入力部２と本体部３とが無線接続されることで、入力部２と本体部３との電気的接続のために有線の引き回しを行う必要もないので、患者が、治療などのために様々な管を付けている時に有効に作用する。つまり、治療のための管と、入力部２と本体部３との電気的接続のための有線とが煩雑するのを避けることができる。
【００４５】  また、本実施の形態によれば、入力部２に出力信号を入力するための８つの入力部２１，２２，２３，２４，２５，２６，２７，２８がそれぞれ独立して設けられているので、入力部２１，２２，２３，２４，２５，２６，２７，２８を、身体の各部位に対応する位置に付し、各部位に付した入力部における各出力信号による各音出力の内容を変えることで、検査を行ないたい患者の各部位が正常に動いているか否かを、スタッフ（医者や看護士など）だけでなく、患者自身も確認することができ、患者のリハビリテーションの意欲を高めるのに好ましい。
【００４６】  なお、本実施例では、入力部２が、８つ設けられているが、これに限定されるものではなく、入力部２に入力部が複数設けられていれば、入力部の数は任意に設定可能である。
【００４７】  また、本実施例では、入力部２と本体部３とが無線接続されているが、これに限定されるものではなく、有線接続されてもよい。
【００４８】  また、本実施例では、図１に示すように、８つの入力部２１，２２，２３，２４，２５，２６，２７，２８としてそれぞれ個別のものを用いているが、これに限定されるものではなく、例えば、８つのうち２つの入力部が一体形成されたものであってもよい。すなわち、８つの入力部２１，２２，２３，２４，２５，２６，２７，２８から入力する出力信号がそれぞれ独立し、各入力部２１，２２，２３，２４，２５，２６，２７，２８夫々から入力される出力信号を個別認識可能に送信できる（独立して送信できることも含む）送信モジュール８５が設けられていれば、入力部２１，２２，２３，２４，２５，２６，２７，２８自体の形状は任意に設定してもよい。
【００４９】  また、本実施の形態では、音を出力することを特徴とする音出力装置であるが、追加として音以外の、光などの出力手段を備えても良い。
【００５０】  また、本実施の形態では、可動式部品であるスイッチ８４に物理スイッチを用いているが、これに限定されるものではなく、天板８１を押すことで入力動作を行う可動式部品であればよい。例えば、電気的スイッチ、もしくは物理的スイッチと電気的スイッチとの組み合わせであってもよい。
【００５１】  また、本実施の形態では、本体部３と外部音響機器４とが有線接続されているが、これに限定されるものでなく、無線接続されてもよい。また、本実施の形態では、入力部２と本体部３とは無線接続されているが、検証用として有線接続できる形態も併せ持ってよい。この場合、入力部２から本体部３への出力信号の入力が無い場合、その原因が入力部２のスイッチ８４に関係することか、それとも送信モジュール８５に関係することかなどの検証に有効であり、入力部２から本体部３への出力信号の入力が無い場合の原因検証が容易となる。
【００５２】  また、本実施の形態では、外部取付部として、貫通孔８７３を採用しているが、これに限定されるものではなく、貫通孔８７３に代えて図９に示すように、ピン止め８７４であってもよい。このピン止め８７４では、挿通孔が形成され、この挿通孔に安全ピンなどのピンを挿通して、衣服などの外部に入力部２をピンで留める。図９に示すピン止め８７４は、底部８７１の外面に設けているが、これに限定されるものではなく、堤部８７２の外面に設けてもよい。
【００５３】  また、外部取付部として、図４に示す貫通孔８７３や、図９に示すピン止め８７４を設けずに、ベース８７の底部８７１の外面に、面ファスナーやパイルアンドフックを設けてもよい。
【００５４】  また、本実施の形態では、本体部３が携帯可能な形態としているが、これに限定されるものではなく、音源を舞台などに備えたものに対応できるように、本体部３を、送信用本体部５と受信用本体部６とに分けて、送信用本体部５を身体に携帯し、受信用本体部６を舞台の装置に配置させてもよい（図１０参照）。この図１０に示す形態であれば、作業者の身体に携帯する装置の小型化を図ることができる。特に、図１に示す音出力装置１に比べて、図１０に示す音出力装置１の方が小型となる。
【００５５】  図１０に示す音出力装置１では、音の出力を身体の動きに合わせてシンクロ表現するためのものであり、音の出力を指示するための出力信号を入力する入力部２と、入力部２から送信した出力信号を受信し、当該出力信号を受信本体部６に送信する送信用本体部５と、送信用本体部５から受信した出力信号に基づく出力命令信号を外部音響機器４（例えば、スマートフォン、サンプラ及びスピーカなど）に出力する受信本体部６と、音の調整を行う機能部９と、で構成される。これら入力部２と送信用本体部５とが無線接続され（１．５〜２．５ＧＨｚ帯（例えば２ＧＨｚ）の周波数）、送信用本体部５と受信用本体部６とが無線接続され（３００〜５００ＭＨｚ帯（例えば３８０ＭＨｚ）の周波数）。また、受信用本体部６と外部音響機器４とは有線接続されている。また、受信用本体部６と機能部９とは有線接続されている。
【００５６】  送信用本体部５は、携帯可能な形態であり、送信用本体部５には、出力信号を受信するための本体受信部５１と、入力部２を制御するとともに、入力部２から入力した出力信号がいずれの入力部２（２１，２２，２３，２４，２５，２６，２７，２８、下記参照）から入力された出力信号なのかを判断する制御部５５と、制御部５５で判断した入力部２による出力信号を受信用本体部６に送信する本体送信部５２と、送信用本体部５の電源をＯＮ／ＯＦＦする電源スイッチ部５３と、本体部５に電源を供給する電源部５４と、音の調整を行う機能部９から音調整信号を受信する本体受信部５６（受信ポート）と、が設けられている。
【００５７】  受信用本体部６は、舞台などに設置できる形態であり、送信用本体部５から送信した出力命令信号を受信するための本体受信部６１と、本体受信部６１で受信した出力命令信号がいずれの入力部２（２１，２２，２３，２４，２５，２６，２７，２８、下記参照）から入力された出力信号なのかを判断する制御部６５と、制御部６５で判断した出力信号に基づく出力命令信号を外部音響機器４に送信するための本体送信部６２と、受信用本体部６の電源をＯＮ／ＯＦＦする電源スイッチ部６３と、受信用本体部６に電源を供給するために外部電源７を接続する電源端子部６４と、が設けられている。
【００５８】  図９に示す実施形態では、受信用本体部６と直接接続される外部音響機器４として、ローランド株式会社製のサンプラＳＰ−３０３を用いている。このローランド株式会社製のサンプラＳＰ−３０３と、スピーカとが直接／間接接続されている。
【００５９】  なお、本発明は、その精神または主要な特徴から逸脱することなく、他のいろいろな形で実施することができる。そのため、上述の実施の形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００６０】  本発明は、娯楽，演芸、医療などの分野で用いられる音響設備に適用できる。
【符号の説明】
【００６１】１  音出力装置
２（２１，２２，２３，２４，２５，２６，２７，２８）  入力部
３  本体部
３１  本体受信部
３２  本体送信部
３３  電源スイッチ部
３４  電源部
３５  制御部
３６  本体受信部
４  外部音響機器
５  送信用本体部
５１  本体受信部
５２  本体送信部
５３  電源スイッチ部
５４  電源部
５５  制御部
５６  本体受信部
６  受信用本体部
６１  本体受信部
６２  本体送信部
６３  電源スイッチ部
６４  電源端子部
７  外部電源
８１  天板
８２  クッション材
８２１  切り欠き部
８２２  挿通孔
８３  基板
８３１  貫通孔
８４  スイッチ
８５  送信モジュール
８６  電池
８７  ベース
８７１  底部
８７２  堤部
８７３  貫通孔（外部取付部）
８７４  ピン止め（外部取付部）
９  機能部
９１  切替部
９１１  切替シフト部
９１２  第１選択ボタン
９１３  第２選択ボタン
９１４  第３選択ボタン
９１５  第４選択ボタン
９２  調整部
９２１  第１調整ボタン
９２２  第２調整ボタン
９２３  第３調整ボタン
９２４  第４調整ボタン
【図１】
2018160223.tif 000003
【図２】
2018160223.tif 000004
【図３】
2018160223.tif 000005
【図４】
2018160223.tif 000006
【図５】
2018160223.tif 000007
【図６】
2018160223.tif 000008
【図７】
2018160223.tif 000009
【図８】
2018160223.tif 000010
【図９】
2018160223.tif 000011
【図１０】
2018160223.tif 000012